(57)【要約】      （修正有）【課題】横断歩道を渡ろうとする歩行者に対して、赤色信号灯点灯時の待時間、青色信号灯点灯時の残時間の双方を提示して、歩行者支援機能を向上させる歩行者用待時間表示装置を提供する。【解決手段】横断歩道に臨む位置に歩行者用交通信号灯２０に並設して配置する交通信号機における歩行者用待時間表示装置１であり、複数の発光灯群である赤色発光ダイオード群３２、青色又は緑色発光ダイオード群３３を列設し、発光灯群により逆三角状の複数個の待時間視標パターン３４、Ｖ状の複数個の残時間視標パターン３５を各々並列状態で表示する表示器３１を有し、歩行者用交通信号灯２０の赤色信号灯２２、青色信号灯２３の点灯動作に連動して赤色信号灯２２の点灯状態から青色信号灯２３の点灯に至る待時間を待時間視標パターン３４の全点灯、一個ずつの減灯、全滅灯の態様で表示する。【選択図】図２
0003131889.tif 000002
【実用新案登録請求の範囲】
【請求項１】
横断歩道に臨む位置に歩行者用交通信号灯とともに配置する歩行者用待時間表示装置であって、
複数の発光灯群を長方形状配置に列設し、前記発光灯群により複数個の待時間視標パターン、複数個の残時間視標パターンを各々並列状態で表示する表示器を有し、歩行者用交通信号灯の赤色信号灯、青色信号灯の点灯動作に連動して赤色信号灯の点灯状態から青色信号灯の点灯に至る待時間を複数個の待時間視標パターンの全点灯、一個ずつの減灯、全滅灯の態様で表示するとともに、青色信号灯の点灯状態から青色信号灯の点滅に至る残時間を複数個の残時間視標パターンの全点灯、一個ずつの減灯、全滅灯の態様で表示するように構成したことを特徴とする交通信号機における歩行者用待時間表示装置。
【請求項２】
横断歩道に臨む位置に歩行者用交通信号灯に並設して配置する歩行者用待時間表示装置であって、
複数の発光灯群を長方形状配置に列設し、前記発光灯群により逆三角状の複数個の待時間視標パターン、Ｖ状の複数個の残時間視標パターンを各々並列状態で表示する表示器を有し、歩行者用交通信号灯の赤色信号灯、青色信号灯の点灯動作に連動して赤色信号灯の点灯状態から青色信号灯の点灯に至る待時間を逆三角状の複数個の待時間視標パターンの全点灯、一個ずつの減灯、全滅灯の態様で表示するとともに、青色信号灯の点灯状態から青色信号灯の点滅に至る残時間をＶ状の複数個の残時間視標パターンの全点灯、一個ずつの減灯、全滅灯の態様で表示するように構成したことを特徴とする交通信号機における歩行者用待時間表示装置。
【請求項３】
横断歩道に臨む位置に歩行者用交通信号灯に並設して配置する歩行者用待時間表示装置であって、
複数の赤色発光ダイオード群を長方形状配置に列設するとともに、複数の赤色発光ダイオード群と青色又は緑色発光ダイオード群を複数段配置に列設し、前記複数の赤色発光ダイオード群により逆三角状の複数個の待時間視標パターンを、複数の青色又は緑色発光ダイオード群によりＶ状の複数個の残時間視標パターンを各々並列状態で表示する表示器を有し、歩行者用交通信号灯の赤色信号灯、青色信号灯の点灯動作に連動して赤色信号灯の点灯状態から青色信号灯の点灯に至る待時間を複数の赤色発光ダイオード群による逆三角状の複数個の待時間視標パターンの全点灯、一個ずつの減灯、全滅灯の態様で表示するとともに、青色信号灯の点灯状態から青色信号灯の点滅状態に至る残時間を前記複数の青色又は緑色発光ダイオード群によるＶ状の複数個の残時間視標パターンの全点灯、一個ずつの減灯、全滅灯の態様で表示するように構成したことを特徴とする交通信号機における歩行者用待時間表示装置。
【請求項４】
横断歩道に臨む位置に歩行者用交通信号灯に並設して配置する歩行者用待時間表示装置であって、
複数の赤色発光ダイオード群を長方形状配置に列設するとともに、複数の赤色発光ダイオード群と青色又は緑色発光ダイオード群を複数段配置に列設し、前記複数の赤色発光ダイオード群により逆三角状の複数個の待時間視標パターンを、複数の青色又は緑色発光ダイオード群によりＶ状の複数個の残時間視標パターンを各々並列状態で表示する表示器と、
歩行者用交通信号灯の赤色信号灯、青色信号灯の点灯動作に連動して赤色信号灯の点灯状態から青色信号灯の点灯に至る待時間を複数の赤色発光ダイオード群による逆三角状の複数個の待時間視標パターンの全点灯、一個ずつの減灯、全滅灯の態様で表示する表示制御、青色信号灯の点灯状態から青色信号灯の点滅に至る残時間を前記複数の青色又は緑色発光ダイオード群によるＶ状の複数個の残時間視標パターンの全点灯、一個ずつの減灯、全滅灯の態様で表示する表示制御を行う表示器制御回路と、
を有することを特徴とする交通信号機における歩行者用待時間表示装置。
【請求項５】
横断歩道に臨む位置に歩行者用交通信号灯に並設して配置され、歩行者用押ボタン箱に設けた押ボタン操作に連動する歩行者用待時間表示装置であって、
前記歩行者用押ボタン箱に定周期動作モード、閑散時動作モードを設定するモード切り替え部を具備し、
複数の赤色発光ダイオード群を長方形状配置に列設するとともに、複数の赤色発光ダイオード群と青色又は緑色発光ダイオード群を複数段配置に列設し、前記複数の赤色発光ダイオード群により逆三角状の複数個の待時間視標パターン及び任意文字を、複数の青色又は緑色発光ダイオード群によりＶ状の複数個の残時間視標パターンを各々並列状態で表示する表示器と、
前記モード切り替え部により設定される定周期動作モードにおいては、歩行者用交通信号灯の赤色信号灯、青色信号灯の点灯動作に連動して赤色信号灯の点灯状態から青色信号灯の点灯に至る待時間を複数の赤色発光ダイオード群による逆三角状の複数個の待時間視標パターンの全点灯、一個ずつの減灯、全滅灯の態様で表示する表示制御、青色信号灯の点灯状態から青色信号灯の点滅に至る残時間を前記複数の青色又は緑色発光ダイオード群によるＶ状の複数個の残時間視標パターンの全点灯、一個ずつの減灯、全滅灯の態様で表示する表示制御を行い、閑散時動作モードにおいては歩行者用交通信号灯の赤色信号灯、青色信号灯の点灯動作に連動して前記複数の赤色発光ダイオード群による「ボタンにふれてください」、「おまちください」等の任意文字を表示する制御を行う表示器制御回路と、
を有することを特徴とする交通信号機における歩行者用待時間表示装置。
【考案の詳細な説明】
【技術分野】
【０００１】
本考案は、横断歩道に臨む位置に歩行者用交通信号灯とともに配置する交通信号機における歩行者用待時間表示装置に関し、詳しくは、横断歩道を渡ろうとする歩行者に対して待時間、残時間の双方を提示し、更には当該横断歩道における運用状況を歩行者に明確に伝達し得る歩行者用待時間表示装置に関するものである。
【背景技術】
【０００２】
近年、交通事故死者数は減少傾向にあるものの依然として多くの人が亡くなっているのが現状であり、特に全交通事故死者に対する歩行者・自転車利用者の占める割合は約４１％程度と高い水準にある。
【０００３】
このような現状に鑑み、警察庁と国土交通省では、「安心歩行エリア」を指定し、信号機への歩行者支援機能、例えば歩行者待時間表示装置の付加等を定めた総合的な対策に取り組んでいる。
【０００４】
従来の歩行者待時間表示装置としては、例えば交差点で使用されている交通信号制御装置から出力する横断禁止信号灯の「周期を計測し、計測された周期に対応する」次回の横断禁止信号灯の待時間を決定するようになっている。
【０００５】
この横断禁止信号灯の点灯中における待時間は、横断禁止信号灯の点灯開始から横断許可信号灯の点灯開始までの時間とし、前回の両信号灯の点灯周期を基にして計測記憶し、点灯周期に変化があった場合には、その変化を検出した時点で次回周期の待時間を補正する。
【０００６】
また、この待時間は、全体時間を２以上の複数時間に等分（通常は８〜１０等分）するとともに、並設構成してある歩行者待時間表示用の複数の表示灯を横断禁止信号灯の点灯開始と同時に全灯を点灯し、複数等分した所定の１時間帯が経過する毎に１表示灯ずつ滅灯させ、横断禁止信号灯が滅灯したときに全表示灯が滅灯するように構成してある。
【０００７】
しかしながら、従来の歩行者待時間表示装置においては、横断歩道を渡ろうとする歩行者に対して、横断許可信号灯の点灯開始までの待時間を上述したようにして表示するものの、横断許可信号灯の点灯開始から点滅終了までの残時間を表示する機能までは具備していない。
【０００８】
更には、閑散時等の時間帯において、「ボタンにふれてください」、「おまちください」等のような任意文字を表示し、当該横断歩道における運用状況を歩行者に明確に伝達する機能も有していない。
【０００９】
特許文献１には、押ボタン箱の正面に、押ボタンに加えて歩行者用の信号灯が青色に変化するまでの時間をデジタル表示する表示部を付加した歩行者用表示装置が提案されている。
【００１０】
しかし、この特許文献１の歩行者用表示装置の場合も、押ボタン箱の正面に設けた表示部のみに待時間を表示するものであり、歩行者支援機能が必ずしも十分に発揮されているとは言えない。
【特許文献１】特開２００２−１８３８９０号公報
【考案の開示】
【考案が解決しようとする課題】
【００１１】
本考案が解決しようとする問題点は、横断歩道を渡ろうとする歩行者に対して、赤色信号灯（横断禁止信号灯）点灯時の待時間、青色信号灯（横断許可信号灯）点灯から点滅時の残時間の双方を表示したり、更には「ボタンにふれてください」、「おまちください」等のような当該横断歩道における運用状況を歩行者に明確に伝達することができる交通信号機における歩行者用待時間表示装置が存在しない点である。
【課題を解決するための手段】
【００１２】
本考案に係る交通信号機における歩行者用待時間表示装置は、横断歩道に臨む位置に歩行者用交通信号灯とともに配置する歩行者用待時間表示装置であって、複数の発光灯群を長方形状配置に列設し、前記発光灯群により複数個の待時間視標パターン、複数個の残時間視標パターンを各々並列状態で表示する表示器を有し、歩行者用交通信号灯の赤色信号灯、青色信号灯の点灯動作に連動して赤色信号灯の点灯状態から青色信号灯の点灯に至る待時間を複数個の待時間視標パターンの全点灯、一個ずつの減灯、全滅灯の態様で表示するとともに、青色信号灯の点灯状態から青色信号灯の点滅に至る残時間を複数個の残時間視標パターンの全点灯、一個ずつの減灯、全滅灯の態様で表示するように構成したことを最も主要な特徴とする。
【考案の効果】
【００１３】
本考案によれば、以下の効果を奏する。
請求項１記載の考案によれば、横断歩道を渡ろうとする歩行者は、歩行者用待時間表示装置の表示器における発光灯群による複数個の待時間視標パターンの点灯状態を視認することで、横断歩道を横断することが可能になるまでの待時間を視覚的に明確に認識することができ、また、横断歩道を渡る途中の歩行者は、残時間視標パターンを視認することで赤色信号灯が点灯するまでの残時間を明確に認識でき、更に、横断歩道をこれから渡ろうとする歩行者にとっても、残時間視標パターンを視認することで直ちに渡るか又は次回の青色信号灯の点灯を待つかの判断を速やかに行うことができ、これらにより大人、子供を問わず全ての歩行者に対する歩行者支援機能を向上させることができる。
【００１４】
請求項２記載の考案によれば、横断歩道を渡ろうとする歩行者は、歩行者用待時間表示装置の表示器における発光灯群による逆三角状の複数個の待時間視標パターンの点灯状態を視認することで、横断歩道を横断することが可能になるまでの待時間を視覚的に明確に認識することができ、また、横断歩道を渡る途中の歩行者は、Ｖ状の残時間視標パターンの点灯状態を視認することで赤色信号灯が点灯するまでの残時間を明確に認識でき、更に、横断歩道をこれから渡ろうとする歩行者にとっても、Ｖ状の残時間視標パターンの点灯状態を視認することで直ちに渡るか又は次回の青色信号灯の点灯を待つかの判断を速やかに行うことができ、これらにより大人、子供を問わず全ての歩行者に対する歩行者支援機能を向上させることができる。
【００１５】
請求項３記載の考案によれば、横断歩道を渡ろうとする歩行者は、歩行者用待時間表示装置の表示器における赤色発光ダイオード群による逆三角状の複数個の待時間視標パターンの点灯状態を視認することで、横断歩道を横断することが可能になるまでの待時間を視覚的に明確に認識することができ、また、横断歩道を渡る途中の歩行者は、青色又は緑色発光ダイオード群によるＶ状の残時間視標パターンの点灯状態を視認することで赤色信号灯が点灯するまでの残時間を明確に認識でき、更に、横断歩道をこれから渡ろうとする歩行者にとっても、青色又は緑色発光ダイオード群によるＶ状の残時間視標パターンの点灯状態を視認することで直ちに渡るか又は次回の青色信号灯の点灯を待つかの判断を速やかに行うことができ、これらにより大人、子供を問わず全ての歩行者に対する歩行者支援機能を向上させることができる。
【００１６】
請求項４記載の考案によれば、複数の赤色発光ダイオード群を長方形状配置に列設するとともに、複数の赤色発光ダイオード群と青色又は緑色発光ダイオード群を複数段配置に列設し、前記複数の赤色発光ダイオード群により逆三角状の複数個の待時間視標パターンを、複数の青色又は緑色発光ダイオード群によりＶ状の複数個の残時間視標パターンを各々並列状態で表示する表示器と、歩行者用交通信号灯の赤色信号灯、青色信号灯の点灯動作に連動して赤色信号灯の点灯状態から青色信号灯の点灯に至る待時間を複数の赤色発光ダイオード群による逆三角状の複数個の待時間視標パターンの全点灯、一個ずつの減灯、全滅灯の態様で表示する表示制御、青色信号灯の点灯状態から青色信号灯の点滅に至る残時間を前記複数の青色又は緑色発光ダイオード群によるＶ状の複数個の残時間視標パターンの全点灯、一個ずつの減灯、全滅灯の態様で表示する表示制御を行う表示器制御回路と、を有する構成で、請求項３記載の考案と同様な効果を奏する歩行者用待時間表示装置を提供することができる。
【００１７】
請求項５記載の考案によれば、歩行者用押ボタン箱に設けたモード切り替え部による定周期動作モード、閑散時動作モードに応じて、定周期動作モード時においては請求項４記載の考案と同様な効果を奏するとともに、閑散時動作モードにおいては歩行者用交通信号灯の赤色信号灯、青色信号灯の点灯動作に連動して前記複数の赤色発光ダイオード群による「ボタンにふれてください」、「おまちください」等の任意文字が提示されるので、特に閑散時において大人、子供を問わず全ての歩行者に対する歩行者支援機能を向上させることができる歩行者用待時間表示装置を提供することができる。
【考案を実施するための最良の形態】
【００１８】
本考案は、横断歩道を渡ろうとする歩行者に対して、赤色信号灯点灯時の待時間、青色信号灯点灯時の残時間の双方を提示して歩行者支援機能を向上させるという目的を、横断歩道に臨む位置に歩行者用交通信号灯に並設して配置する交通信号機における歩行者用待時間表示装置であって、複数の発光灯群を長方形状配置に列設し、前記発光灯群により逆三角状の複数個の待時間視標パターン、Ｖ状の複数個の残時間視標パターンを各々並列状態で表示する表示器を有し、歩行者用交通信号灯の赤色信号灯、青色信号灯の点灯動作に連動して赤色信号灯の点灯状態から青色信号灯の点灯に至る待時間を逆三角状の複数個の待時間視標パターンの全点灯、一個ずつの減灯、全滅灯の態様で表示するとともに、青色信号灯の点灯状態から青色信号灯の点滅に至る残時間をＶ状の複数個の残時間視標パターンの全点灯、一個ずつの減灯、全滅灯の態様で表示するように構成したことにより実現した。
【実施例】
【００１９】
以下に、本考案の実施例に係る歩行者用待時間表示装置１について図面を参照して詳細に説明する。
【００２０】
本実施例に係る歩行者用待時間表示装置１は、図１乃至図４に示すように、複数の発光灯である赤色発光ダイオード群３２と青色又は緑色発光ダイオード群３３を複数配置し、前記複数の赤色発光ダイオード群３２により逆三角状の複数個の待時間視標パターン３４（図７参照）及び任意文字を、複数の青色又は緑色発光ダイオード群３３によりＶ状の複数個の残時間視標パターン３５（図８参照）を各々並列状態で表示する表示器３１を構成して、この表示器３１を赤色信号灯２２、青色信号灯２３を有する歩行者用交通信号灯２０と、文字案内板４０との間に並列的に配置している。
【００２１】
前記表示器３１を構成する各赤色発光ダイオード群３２、青色又は緑色発光ダイオード群３３の形状形態や発光灯の構成については、上記実施例に限定されるものではなく、各表面形状を線状や長方形状に、またそれぞれの表示面積を大小に変化を持たせた形状とし、発光灯としても一般に用いられている小型の赤色白熱電球、青色白熱電球を用いる等の変様した実施態様によって構成することができることは勿論である。
【００２２】
前記文字案内板４０には、縦書表示で、「夜間押ボタン式」、「歩行者  自転車  専用」の文字を付している。
【００２３】
上記のように構成した歩行者用待時間表示装置１は、本実施例においては、歩行者用交通信号灯２０及び文字案内板４０と並設した状態で、図１、図２に示すように、道路側端等に設置された支柱５２の上部から路面上に突出横架させた上下２本の支持アーム５０ａ，５０ｂ間に支持金具５１ａ，５１ｂを介して固定支持するとともに、歩行者用交通信号灯２０から電力を供給して点灯駆動する構造（所謂「抱込型取付」、図１、図２参照）になっている。
【００２４】
なお、歩行者用待時間表示装置１、歩行者用交通信号灯２０、文字案内板４０の支柱５２に対する取り付け方法については、上記実施例に限定されるものではなく、例えば支柱５２に横架設した一本の支持アームから垂下させる所謂「吊下型取付」方法（図示していない）や、支柱５２の上端に自立設置した歩行者用交通信号灯２０の支柱下端部から一本の支持アームを側方へ突設し、該支持アーム上に歩行者用交通信号灯２０と並べて歩行者用待時間表示装置１を支持する所謂「自立型取付」方法（図示していない）など任意の取付方法を選択することができるものであることは勿論である。
【００２５】
次に、図１を参照して本実施例に係る歩行者用待時間表示装置１、歩行者用交通信号灯２０を操作するための歩行者用押ボタン箱６０について説明する。
【００２６】
前記歩行者用押ボタン箱６０は、図１に示すように、例えば外面全体を黄色に着色した箱形状の押ボタン箱本体２と、この押ボタン箱本体２の正面に設けた前記歩行者用待時間表示装置１、歩行者用交通信号灯２０を操作するための外形が円形状の押ボタン３及び上下２箇所構成の歩行者用案内文字表示部４ａ、４ｂと、を有している。上段の歩行者用案内文字表示部４ａは、例えば「おまちください」の文字表示を、下段の歩行者用案内文字表示部４ｂは、例えば「ふれてください」の文字表示を各々行うように構成している。
【００２７】
前記押ボタン箱本体２の左右両側面（図１においては右側面のみを示す）には、点滅によりこの押ボタン箱本体２の存在を歩行者に強調表示する赤色発光ダイオードを用いた縦長長方形状の存在強調表示灯部５ａ、５ｂを各々設けている。
【００２８】
また、前記歩行者用押ボタン箱６０は、取り付け金具６を用いて横断歩道１００に臨む歩道エリアの所定の位置に配置した支柱７における所定位置（大人、子供を問わず操作可能な高さ位置）に取り付け固定している。
【００２９】
前記押ボタン３は、例えば焦電式、静電式、超音波式等のスイッチ構成のいずれかから選定したタッチ式スイッチを使用し、歩行者が指等で直接軽く触れたり、手袋を着用した指で軽く触れるだけでスイッチ応答する高感度な構成としている。
【００３０】
前記上段の歩行者用案内文字表示部４ａ、下段の歩行者用案内文字表示部４ｂは、各々例えば赤色発光ダイオードを所要個数列設して又は液晶パネルを用いて構成され、上段の歩行者用案内文字表示部４ａは後述する押ボタン箱点灯制御回路１１の制御の基に、「おまちください」の文字表示を、下段の歩行者用案内文字表示部４ｂは、「ふれてください」の文字表示を行うように構成している。
【００３１】
次に、本実施例に係る歩行者用待時間表示装置１、歩行者用交通信号灯２０、これらを操作するための歩行者用押ボタン箱６０の制御系について図６を参照して説明する。
【００３２】
前記歩行者用押ボタン箱６０は、押ボタン箱点灯制御回路１１を具備し、前記押ボタン３からの操作信号と、この押ボタン箱点灯制御回路１１に予め搭載した押ボタン箱動作プログラムに基づき、前記上段の歩行者用案内文字表示部４ａ、下段の歩行者用案内文字表示部４ｂの点灯制御を行うとともに、前記押ボタン箱動作プログラムに基づき前記存在強調表示灯部５ａ及び存在強調表示灯部５ｂの点滅制御又は滅灯制御を行うようになっている。
【００３３】
また、歩行者用押ボタン箱６０は、前記押ボタン３からの操作信号に応答して簡易音（例えばブザー音、チャイム音等）を、短時間発する応答音発音部１２を具備するとともに、その内部に詳細は後述するが歩行者用待時間表示装置１に関して定周期動作（例えば０６：００〜２２：００）と、閑散時動作（押ボタン動作）（例えば２２：００〜０６：００）との二つの動作モードを切り替えるモード切り替え部（モード切り替えインターフェース）１３を設けている。
【００３４】
モード切り替え部１３は、例えばタイマー機能により定周期動作と閑散時動作とを自動的に切り替える構成、係員操作により定周期動作と閑散時動作とを手動操作にて切り替える構成等種々の態様を採用することができる。
【００３５】
前記歩行者用待時間表示装置１は、前記定周期動作における前記表示器３１に設けた赤色発光ダイオード群３２による待時間視標パターン３４の全点灯から一灯ずつの順次減灯を経て全滅灯に至る点灯制御及び前記青色又は緑色発光ダイオード群による残時間視標パターン３５の全点灯から一灯ずつの順次減灯を経て全滅灯に至る点灯制御を行う表示制御プログラムと、閑散時動作における前記赤色発光ダイオード群３２による「ボタンをおしてください」、「おまちください」等の任意文字スクロール表示制御を行う表示制御プログラムとを格納しプログラムメモリ７１と、前記モード切り替え部１３からのモード切り替え信号に応じて前記プログラムメモリ７１に格納した前記各表示制御プログラムに応じて表示器３１の点灯駆動を行う発光ダイオード駆動回路７３の動作制御を各々行う表示器制御回路７２とを有している。
【００３６】
前記歩行者用交通信号灯２０は、交通信号制御装置２１を具備し、前記押ボタン３からの操作信号と、交通信号制御装置２１に予め搭載した交通信号灯動作プログラムに基づき、赤色信号灯２２、青色信号灯２３の各切り替え点灯制御を実行するようになっている。
【００３７】
次に、本実施例に係る歩行者用待時間表示装置１の動作を、前記歩行者用交通信号灯２０、歩行者用押ボタン箱６０の動作と関連させ、且つ、定周期動作モード、閑散時動作モードに分けて説明する。
【００３８】
（定周期動作モード）
定周期動作（例えば０６：００〜２２：００）モードにおいては、図６に示すように、歩行者用交通信号２０の赤色信号灯２２、青色信号灯２３は予め設定した定周期（例えば赤色信号灯２２の点灯２分、青色信号灯２３の点灯１分等）で交互に点灯、滅灯繰り返す。
【００３９】
歩行者用待時間表示装置１の表示器３１は、赤色信号灯２２の点灯開始から滅灯に至る時間に連動し、且つ、予め設定した表示制御プログラムに基づき図７に示すように赤色発光ダイオード群３２を用いた逆三角形状の待時間視標パターン３４により例えば８段全点灯から一段ずつの順次減灯を経て全滅灯に至る表示を実行する。
【００４０】
これにより、横断歩道１００を渡ろうとする歩行者は、歩行者用待時間表示装置１の逆三角形状の待時間視標パターン３４の点灯状態を視認することで、この横断歩道１００を横断することが可能になるまでの待時間を視覚的に明確に認識することができる。
【００４１】
また、歩行者用待時間表示装置１の表示器３１は、赤色信号灯２２が滅灯した後、青色信号灯２３の点灯開始から点滅灯に至る時間に連動し、且つ、予め設定した表示制御プログラムに基づき図８に示すようにＶ状配置の青色又は緑色発光ダイオード群３３を用いた残時間視標パターン３５により例えば８段全点灯から一段ずつの順次減灯を経て全滅灯に至る表示を実行する。
【００４２】
これにより、横断歩道１００を渡る途中の歩行者は、歩行者用待時間表示装置１のＶ状の残時間視標パターン３５を視認することで、青色信号灯２３が点滅するまでの残時間を明確に認識し、例えば早足で歩く等の行動を取ることができ、歩行者支援機能が一層向上する。
【００４３】
また、横断歩道１００をこれから渡ろうとする歩行者にとっても、歩行者用待時間表示装置１における表示器３１のＶ状の残時間視標パターン３５の点灯状態（残時間）の多少を見て、横断歩道１００を直ちに渡るか又は次回の青色信号灯２３の点灯を待つかの判断を速やかに下すことができ、この点からも歩行者支援機能が向上する。
【００４４】
（閑散時動作モード）
閑散時動作モード（例えば２２：００〜０６：００）においては、図９に示すように、通常横断歩道１００に臨む歩行者用交通信号２０における赤色信号灯２２が点灯し、青色信号灯２３は滅灯している。また、前記歩行者用押ボタン箱６０においては、左右両側面の存在強調表示灯部５ａ、５ｂは点滅状態にあり、下段の歩行者用案内文字表示部４ｂが点灯して、「ふれてください」の文字が表示されている。
更に、前記歩行者用待時間表示装置１における表示器３１は、予め搭載した閑散時動作モード用の表示制御プログラムに基づき、図１０に示すように、「ボタンにふれてください」の文字を赤色でスクロール表示している。これにより、歩行者は前記歩行者用待時間表示装置１の表示器３１を視認することで、当該横断歩道１００の運行状態を明確に把握できる。
【００４５】
この状態で、横断歩道１００を渡ろうとする歩行者が、前記歩行者用押ボタン箱６０の押ボタン３に触れると、前記応答音発音部１２が応答して簡易音を短時間発し、当該歩行者に押ボタン３を操作したことを認識させるとともに、前記押ボタン３からの操作信号は前記押ボタン箱点灯制御回路１１、交通信号制御装置２１、表示器制御回路７２に各々送信される。
【００４６】
押ボタン箱点灯制御回路１１は、押ボタン３からの操作信号を受信すると、下段の歩行者用案内文字表示部４ｂを消灯し、上段の歩行者用案内文字表示部４ａを点灯して、「おまちください」の文字を歩行者に提示する。
【００４７】
一方、交通信号制御装置２１は、押ボタン３からの操作信号を受信すると、予め搭載した交通信号灯動作プログラムに基づき、所定時間後赤色信号灯２２を滅灯し、青色信号灯２３を点灯する。
【００４８】
また、表示器制御回路７２は、押ボタン３からの操作信号を受信すると、予め搭載した閑散時動作モード用の表示制御プログラムに基づき、表示器３１の表示を図１１に示すように、「おまちください」の赤色文字のスクロール表示に切り替える。
【００４９】
歩行者は、所定時間待機し赤色信号灯２２が滅灯し、青色信号灯２３が点灯した段階でこの青色信号灯２３を視認しつつ当該横断歩道１００を安全に横断することが可能となる。
【００５０】
次に、交通信号制御装置２１は、青色信号灯２３を点灯した時点で信号切り替え信号を押ボタン箱点灯制御回路１１に送信し、これにより、押ボタン箱点灯制御回路１１は下段の歩行者用案内文字表示部４ｂを点灯し、上段の歩行者用案内文字表示部４ａを消灯する。これにより、歩行者用押ボタン箱６０においては、下段の歩行者用案内文字表示部４ｂにより「ふれてください」の文字表示が行われる初期状態にもどる。
【００５１】
同様に交通信号制御装置２１は、青色信号灯２３を点灯した時点で信号切り替え信号を表示器制御回路７２に送信し、これにより表示器制御回路７２は、表示器３１の表示を閑散時動作モード用の表示制御プログラムに基づき、「ボタンにふれてください」の赤色文字のスクロール表示に切り替え、初期状態にもどる。
【００５２】
この後、交通信号制御装置２１は、交通信号灯動作プログラムに基づき、青色信号灯２３点灯から所定時間経過した時点で青色信号灯２３を点滅させた後消灯し、赤色信号灯２２を点灯する。これにより歩行者用交通信号灯２０も初期状態に戻る。
【００５３】
なお、以上の説明では、上述した横断歩道１００と交差する車道側を走行する車両用の交通信号灯には触れていないが、車両用の交通信号灯は、歩行者用交通信号灯２０とは逆の動作、すなわち、前記赤色信号灯２２が点灯している時には車両用の交通信号灯は青色信号灯を点灯させ、前記青色信号灯２３が点灯から点滅している時には車両用の交通信号灯は赤色信号灯を点灯させることはいうまでもない。
【００５４】
また、上述した図５に示す歩行者用待時間表示装置１の構成は一例であり、この他にも押ボタン箱点灯制御回路１１、交通信号制御装置２１、表示器制御回路７２を一体構成とする等種々の変形実施が可能である。
【００５５】
更に、定周期動作モード、閑散時動作モードの設定も任意であり、その時間帯を変更したり、終日定周期動作モードとしたり、終日閑散時動作モードと同様な動作モードとして運用することも勿論可能である。
【００５６】
以上説明した本実施例の歩行者用待時間表示装置１によれば、定周期動作モードにおいて、横断歩道１００を渡ろうとする歩行者は、歩行者用待時間表示装置１を視認することで、横断歩道１００を横断することが可能になるまでの待時間を視覚的に明確に認識することができ、また、横断歩道１００を渡る途中の歩行者は、赤色信号灯２２が点灯するまでの残時間を明確に認識でき、これらにより大人、子供を問わず全ての歩行者に対する歩行者支援機能を向上させることができる。
【００５７】
更に、横断歩道１００をこれから渡ろうとする歩行者にとっても、横断歩道１００を直ちに渡るのか又は次回の青色信号灯２３の点灯を待つかの判断を、速やかに行うことができ、この点からも歩行者支援機能を向上させることができる。
【００５８】
一方、閑散時動作モードにおいて、歩行者は前記歩行者用待時間表示装置１の表示器３１の「ボタンにふれてください」の赤色文字を視認したり、また、表示器３１の「おまちください」の赤色文字を視認することで、当該横断歩道１００の運行状態を明確に把握することができ、この点からも歩行者支援機能を向上させることができる。
【産業上の利用可能性】
【００５９】
本考案は、一般の車道を横断する横断歩道用として用いる他、例えば電車線路を横断する踏み切りや大規模駐車場の横断歩道等に設置する歩行者用押ボタン箱として幅広く応用可能である。
【図面の簡単な説明】
【００６０】
【図１】本考案の実施例に係る歩行者用待時間表示装置、歩行者用交通信号灯、歩行者用押ボタン箱の横断歩道における配置を示す概略斜視図である。
【図２】本考案の実施例に係る歩行者用待時間表示装置、歩行者用交通信号灯、文字案内板の概略正面図である。
【図３】本考案の実施例に係る歩行者用待時間表示装置の待時間視標パターンの表示例を示す図である。
【図４】本考案の実施例に係る歩行者用待時間表示装置における表示器を示す部分拡大図である。
【図５】本考案の実施例に係る歩行者用待時間表示装置、歩行者用交通信号灯、歩行者用押ボタン箱の制御系を示すブロック図である。
【図６】本考案の実施例に係る歩行者用待時間表示装置、歩行者用交通信号灯の定周期動作モードを示すタイミングチャートである。
【図７】本考案の実施例に係る歩行者用待時間表示装置における表示器の定周期動作モードの待時間視標パターンの点灯状態を示す図である。
【図８】本考案の実施例に係る歩行者用待時間表示装置における表示器の閑散時動作モードの残時間視標パターンの点灯状態を示す図である。
【図９】本考案の実施例に係る歩行者用待時間表示装置、歩行者用交通信号灯、歩行者用押ボタン箱の閑散時動作モードを示すタイミングチャートである。
【図１０】本考案の実施例に係る歩行者用待時間表示装置における表示器の閑散時動作モード時の「ボタンにふれてください」の点灯表示状態を示す図である。
【図１１】本考案の実施例に係る歩行者用待時間表示装置における表示器の閑散時動作モード時の「おまちください」の点灯表示状態を示す図である。
【符号の説明】
【００６１】
１    歩行者用待時間表示装置
２    押ボタン箱本体
３    押ボタン
４ａ  歩行者用案内文字表示部
４ｂ  歩行者用案内文字表示部
５ａ  存在強調表示灯部
５ｂ  存在強調表示灯部
６    取り付け金具
７    支柱
１１    押ボタン箱点灯制御回路
１２    応答音発音部
１３    モード切り替え部
２０    歩行者用交通信号灯
２１    交通信号制御装置
２２    赤色信号灯
２３    青色信号灯
３１    表示器
３２    赤色発光ダイオード群
３３    青色又は緑色発光ダイオード群
３４    待時間視標パターン
３５    残時間視標パターン
４０    文字案内板
５０ａ  支持アーム
５０ｂ  支持アーム
５１ａ  支持金具
５１ｂ  支持金具
５２    支柱
６０    歩行者用押ボタン箱
７１    プログラムメモリ
７２    表示器制御回路
７３    発光ダイオード駆動回路
１００    横断歩道
【図１】
0003131889.tif 000003
【図２】
0003131889.tif 000004
【図４】
0003131889.tif 000005
【図５】
0003131889.tif 000006
【図６】
0003131889.tif 000007
【図７】
0003131889.tif 000008
【図８】
0003131889.tif 000009
【図９】
0003131889.tif 000010
【図１０】
0003131889.tif 000011
【図１１】
0003131889.tif 000012
【図３】
0003131889.tif 000013